(57)【特許請求の範囲】
【請求項１】
ダウンリンク上で送信を行う少なくとも１個の１次局と、アップリンク上で送信を行う複数個の２次局とを具え、各２次局はそれぞれ自己のアドレスを持ち、このアドレスはダウンリンク・メッセージの一部として送信される、メッセージ送信システムを動作する方法において、
アップリンク送信は疑似ランダム・データ・シーケンスを含み、前記疑似ランダム・データ・シーケンスは、２次局により使用され、この２次局に割り当てられたアドレスとメッセージ中に含まれる情報との、少なくともいずれか一方又は双方に依存することを特徴とするメッセージ送信システムの動作方法。
【請求項２】
ダウンリンク上で送信を行う手段を有する少なくとも１個の１次局と、アップリンク上で送信を行う手段を有する複数個の２次局と具え、各２次局はダウンリンク・メッセージの一部として送信される自己のアドレスを持つメッセージ送信システムにおいて、
前記２次局の前記手段は、メッセージに対する応答を生成し、前記応答は疑似ランダム・データ・シーケンスを含み、前記疑似ランダム・データ・シーケンスは、前記２次局により一度に生成され、２次局に割り当てられたアドレスとメッセージ中に含まれる情報との、少なくともいずれか一方又は双方に依存することを特徴とするメッセージ送信システム。
【請求項３】
請求項２に記載のメッセージ送信システムにおいて、前記２次局の前記手段は更に、応答の形式の種類に基づいて、前記疑似ランダム・データ・シーケンスを更に選択することを特徴とするメッセージ送信システム。
【請求項４】
請求項２又は３に記載のメッセージ送信システムにおいて、前記１次局は複数個の前記２次局に対してグループ・メッセージを送出し、また、アドレスされた前記２次局の前記手段は、固有疑似ランダム・データ・シーケンスを、応答として生成することを特徴とするメッセージ送信システム。
【請求項５】
請求項２、３又は４に記載のシステムにおいて、前記２次局のうちの少なくとも１個は、複数の受信メッセージを記憶する記憶手段と、前記複数のメッセージの各々に対して固有応答を生成する手段とを有することを特徴とするメッセージ送信システム。
【請求項６】
請求項２〜５のいずれかに記載のメッセージ送信システムにおいて、前記１次局は、長いデータ・メッセージをフラグメント化する手段を有し、また、前記フラグメントを受信する前記２次局は、少なくとも最後のフラグメントを受信した後に、疑似ランダム・データ・シーケンスを送出することを特徴とするメッセージ送信システム。
【請求項７】
請求項６に記載のメッセージ送信システムにおいて、前記２次局は、各フラグメントを成功裏に受信したことに応答して、疑似ランダム・データ・シーケンスを送出することを特徴とするメッセージ送信システム。
【請求項８】
請求項２〜６のいずれかに記載のメッセージ送信システムにおいて、前記１次局は、前記２次局に応答を送信するように勧誘する手段を有し、この手段は、勧誘を繰り返し且つ成功裏に受信した応答の受信をアクノレジメントし、また前記２次局のうちの、応答に対するアクノレジメントを受信する２次局は、繰り返された勧誘に対し応答しないことを特徴とするメッセージ送信システム。
【請求項９】
少なくとも１個の１次局が、アドレスされた２次局へのダウンリンク上でメッセージを送信し、前記２次局はアップリンク上で送信を行う手段を有する、メッセージ送信システムで使用する２次局において、
前記２次局の前記手段は、受信したメッセージに応答して疑似ランダム・データ・シーケンスを生成し、前記疑似ランダム・データ・シーケンスは、一度に生成され、２次局に割り当てられたアドレスとメッセージ中に含まれる情報との、少なくともいずれか一方又は双方に依存することを特徴とする２次局。
【請求項１０】
請求項９に記載の２次局において、前記１次局がグループ・メッセージを送出するのに応答して、前記２次局の前記手段は、固有疑似ランダム・データ・シーケンスを応答として生成することを特徴とする２次局。
【請求項１１】
請求項９又は10に記載の２次局において、複数の受信メッセージを記憶する記憶手段を有し、また、前記２次局の前記手段は、前記複数のメッセージの各々に対して固有応答を生成することを特徴とする２次局。
【請求項１２】
請求項９〜11のいずれかに記載の２次局において、フラグメント化された長いデータ・メッセージを受信したことに応答して、前記２次局は少なくとも最終のフラグメントを受信した後に、疑似ランダム・データ・シーケンスを送出することを特徴とする２次局。
【発明の詳細な説明】
技術分野
本発明は、メッセージを送信する方法及びシステム、並びにシステムで使用する１次局及び２次局に関する。このようなシステムの一例はアンサーバック・ページング・システムであり、便宜上アンサーバック・ページング・システムが言及されるが、本発明の教示は他の両方向メッセージ・システムに適用できることを理解されるべきである。
背景技術
アンサーバック・ページング・システムは例えば国際公開公報ＷＯ96/14761号に開示されている。初期の形式では、そのようなシステムはメッセージが予め決定された受信人へ送信されるようにメッセージを構成するページング・ネットワーク・コントローラ（PNC）を必要とする。受信人は呼を受信して、ページャに組み込まれている低電力送信機によって簡単な応答を送信できる。上記の公開公報は、一連のメッセージがそれぞれの受信人へ送信され、次いでPNCが受信人に、応答を疑似ランダムデータシーケンス（PCNでデ・スプレッドされる）でほぼ同時に送信することの勧誘（invitations）を送信し、応答を要求する者に応答が送られるシステムを開示している。応答がPNCによって適当な電力レベルで受信できることを保証するためにページャに電力制御技術を適用しなければならないことを避けるために、PNCは階段的に増加（又は減少）する電力レベルで勧誘を送信し、且つ勧誘のそれぞれを受信できるページャのみが応答を送信する。この既知の方法の特徴は、受信電力のかなり厳格な制御が必要であることである。
PCT特許出願IB97/00462号明細書は、説明の便宜上、段階的除去（progressive elimination）と呼ばれる上記の方法の１個の変形を開示している。この技術において、PNCは個別にアドレスされたページャへのダウンリンク上に一連のメッセージを送信する。次いでPNCは、制御信号をダウンリンク上に送信して、例えばメッセージへの応答、サービス要求、又は登録要求のようなアップリンク送信を行いたいページャに、それらをほぼ同時に疑似ランダム・データ・シーケンスとして送信することを勧誘する。PNCは解読できるアップリンク送信のデータ・シーケンスを解析し、勧誘を繰り返す。この勧誘は、成功裏に解析できたアップリンク送信へのアクノレジメントを含むので、最初に応答はしたが未だアクノレジメントを受信していないページャのみが再試行を必要とする。
本質的に、これらの既知の技術においては、各ページャはそれぞれが特定の形式の応答に対応する多数の疑似ランダム・データ・シーケンスを記憶することを要求される。
しかし、このことは処理グループメッセージが、いくつかの記憶されたメッセージおよびフラグメント化されたメッセージに個々に応答するときに、柔軟性に欠けることになる。
発明の開示
本発明の目的は、アンサバック・メッセージ・システムの動作に一層の柔軟性を導入することにある。
本発明の第１の態様では、ダウンリンク上で送信を行う少なくとも１個の１次局と、アップリンク上で送信を行う複数個の２次局とを具え、各２次局はそれぞれ自己のアドレスを持ち、このアドレスはダウンリンク・メッセージの一部として送信される、メッセージ送信システムを動作する方法において、アップリンク送信は疑似ランダム・データ・シーケンスを含み、その疑似ランダム・データ・シーケンスは、２次局により使用され、この２次局に割り当てられたアドレスとメッセージ中に含まれる情報との、少なくともいずれか一方又は双方に依存することを特徴とするメッセージ送信システムの動作方法が提供される。
アップリンク上の送信は、ダウンリンク上に送出されるメツセージへの応答又はサービス要求もしくはこれらの両者が含むことができる。
本発明の第２の態様では、ダウンリンク上で送信を行う手段を有する少なくとも１個の１次局と、アップリンク上で送信を行う手段を有する複数個の２次局と具え、各２次局はダウンリンク・メッセージの一部として送信される自己のアドレスを持つメッセージ送信システムにおいて、前記２次局の前記手段は、メッセージに対する応答を生成し、前記応答は疑似ランダム・データ・シーケンスを含み、前記疑似ランダム・データ・シーケンスは、前記２次局により一度に生成され、２次局に割り当てられたアドレスとメッセージ中に含まれる情報との、少なくともいずれか一方又は双方に依存することを特徴とするメッセージ送信システムが提供される。
本発明の第３の態様では、少なくとも１個の１次局が、アドレスされた２次局へのダウンリンク上でメッセージを送信し、前記２次局はアップリンク上で送信を行う手段を有する、メッセージ送信システムで使用する２次局において、前記２次局の前記手段は、受信したメッセージに応答して疑似ランダム・データ・シーケンスを生成し、前記疑似ランダム・データ・シーケンスは、一度に生成され、２次局に割り当てられたアドレスとメッセージ中に含まれる情報との、少なくともいずれか一方又は双方に依存することを特徴とする２次局が提供される。
本発明の第４の態様では、ダウンリンク上で送信を行う手段を有する少なくとも１個の１次局と、アップリンク上で送信を行う手段を有する複数個の２次局とを具え、前記アップリンク上での送信は疑似ランダム・データ・シーケンスを含む、メッセージ送信システムで使用する１次局において、前記１次局は、メッセージを受信し、このメッセージを符号化し、前記２次局のアドレスを付与し、複数のメッセージをダウンリンク上で送信されるメッセージ・ストリーム中へコンパイルする手段を有し、また前記１次局は、アップリンク送信を受信し、受信したアップリンク送信を復号し、成功裏に受信したアップリンク送信をアクノレジメントし、アクノレジメントを受信していない２次局に、アップリンク送信を繰り返すことを勧誘する手段を更に有することを特徴とする１次局が提供される。
本発明を実施するための形態
図１において、メッセージ送信システムはページング網制御器（PNC）10を具えている。この網制御器は、パソコン（PC）を具えたオペレータから又はPC及びモデムを所有する加入者から直接に、ページャ・アドレスおよび関連するメッセージを受信するメッセージ・エントリポートを有している。ページャ無線識別符号（RICs），ページングすべき地域、周波数、ページャの形式、例えばPOCSAG（又はCCIR無線ページング符号No1）及びERMESのような広く使用されているプロトコル、ならびにページャのステータスのような情報を含むディレクトリを有するPNC10は、メッセージ及びそれらに関連するRICsを他の関係する情報と共に基地局送信機（又は基地局トランシーバの送信機部分）16によりダウンリンクで両方向ページャ18、20にそれぞれ送信できるフォーマットへ、RICs及び関連するメッセージのフォーマット化を行うページング・エリア制御器（PAC）14に入力される。
両方向ページャ20が自分のRICを持つメッセージが送信されているのを識別すると、そのメッセージを受信し復号する。利用者が短い応答を送信したい時には、組み込まれたキーパッドにより予め記憶された応答を選択し、PAC16により勧誘された時にアップリンクによりその応答を送信する。この応答信号は、疑似ランダム・データ・シーケンス（PRDS）として同時に送信できる。
１個以上の受信機（又はトランシーバの受信機部分）が、応答を受信し、これら応答をPAC14に送るために与えられる。PAC14では、応答は復号されデータパケットとしてPNC10へ送られる。PNC10は、信号を分析し、応答をダウンリンク上に送信されたメッセージと照合する手段を有する。
照合されたこれらの応答は、例えば電子メール又は一方向ページング・メッセージとしての送信によって、適切な形式でそれぞれの利用者に送られる。あるいはまた、応答はページング網により運営されているメッセージ応答サービスへ送られる。いずれの場合も、アクノレジメントがそれぞれの両方向ページャ20に送られる。しかし、例えば強い応答は遠近効果（near-far effect）の結果弱い応答を消してしまうので、全ての応答が照合されるとは限らない。PNC10が、ダウンリンク上に送信したメッセージの極く一部分が応答を受信したと判断すると、メッセージに応答しなかったか又はアクノレジメントを受信しなかったページャに対して、アップリンク上に応答を送信又は再送信する、一般的な勧誘を発する。新たに受信した応答は分析され、可能な場合は照合され、アクノレジメントが送信される。成功した応答の全数が統計的に決定されたしきい値より未だ少なければ、ダウンリンク上に他の勧誘信号を送信することにより、このサイクルが繰り返される。この過程は、予め決定された数のサイクルが経過するか、又はしきい値レベルが超過されて、メッセージ群に対し明瞭な応答が最早受信できないのが明らかになるまで繰り返される。
ほぼ同時に送信されたPRDS応答信号の場合に、応答信号群を受信する毎に、成功裏に分析される応答信号は一般的に受信機22のアンテナにおいて最大電力レベルを有している。従って、これらは応答信号のプールから除去され、次の勧誘信号が送信される時に、一層遠隔のページャである弱い送信源からの信号が復号され、照合される。この動作シーケンスはここでは、段階的除去（Progressive Elimination）と呼ばれる。
図２は、ダウンリンク上の勧誘信号への応答として同時に送信されるPRDS信号を応答が含むシステムの例を説明する。図２において、メッセージ（図示されていない）が既にダウンリンク上に送信されている。最初の勧誘INV1がダウンリンク上に送信される。自分にアドレスされたメッセージを検出したページャは、定められたタイムスロットRES1内にコード・シーケンスを送信することにより、勧誘信号INV1に応答する。検索ルーチンSCHがタイムスロットの終了に続き開始される。検索ルーチンにおいて、PNC10（図１）に記憶されたコードは応答データシーケンスと連続的に比較され、メッセージの内の特定のものに対する応答が１個ずつ識別される。しかし、遠近問題のために応答信号の最強のもののみが検出され、これらは成功したページャにシーケンス中の連続する勧誘信号INV2及びINV3には応答しないように伝えるためにダウンリンク上に送信されるアクノレジメント信号により、次の検索から除外される。
実際のシステムでは、ページャ18及び20（図１）の大多数は受信機22のアンテナから或る距離に存在し、このことはページャの大多数がアンテナで低電力での受信になることが予測される。従って、タイムスロットRES1,RES2およびRES3の時間は図示のように等しくすることも可能であるが、例えば少数の比較的高出力の応答及び多数の比較的低電力の応答のように、予測される応答数に応じて可変スロット長を割り振りするのが望ましい。低雑音及び低干渉に対処する少数の強電力が有効に除去されるように、当初は短いスロットが割り当てられる。相当なレベルの雑音および干渉に対処する弱い受信電力を受け入れるように、長いスロットが割り当てられる。
必要ならば、ページャ18及び20は、自己の応答信号の長さを変化させ、それにより勧誘・応答のサイクル数を減少させるために、それらの送信機に電力制御を有することもできる。
図２を参照して記述された実施例の改良において、図３は全ページャを２個のグループに分割し、ダウンリンク上で一方のグループのGP1に対してのメッセージ及び勧誘の送信を、他方のグループのGp2からのアップリンク上への応答を分析して、インタリーブすることを示している。
全ページャを分割する１つの方法は、奇数番号のページャを１個のグループ、例えばGp1に割り当て、偶数番号のページャを第２のグループ、例えばGp2に割り当てることである。他の方法は、ページャが受信したダウンリンク信号の強度（RSSI）を測定し、予め設定されたしきい値を用いて２個のグループの何れに属するかを決定する方法である。
誰の応答が成功裏に分析されたかをページャに同時に知らせながら勧誘メッセージを発行する１つの方法は、図4Aに示される規定順序でメッセージM1〜M14を送出し、勧誘信号においては、図4Bのように１対１ベースで対応する数のタイムスロットをフィールドFDに与えて、例えばタイムスロット３がメッセージM3に対応するようにする方法である。第１回目の勧誘信号INV1が送出されると、例えばフイールドFDの全てのビットがゼロであり、応答を全く受信していないことを示す。しかし、第１巡の分析の後、例えばフイールドFDのスロット１、３、４、９、11及び13のビットを０から１に変更することにより、メッセージM1,M3,M4,M9,M11及びM13がアドレスされたページャに対してアクノレジメントが送信される。多くのメッセージがアクノレジメントされるのに応じて、ビットが更に変更される。
勧誘が送信されるサイクル数は、一定にすることができる。しかし、成功裏に復号された応答数が統計的に決定されたしきい値を超えると、それ以上の反復は停止される。
図５は、PAC14に結合されたPNC10と、基地局送信機16及び受信機22とをブロック図で示す。エントリポート12は、RIC、ページング・エリア、周波数、ページャ形式、使用されるプロトコル及びステータスにそれぞれ関係するディレクトリ26〜36に接続されているマイクロコントローラ24に結合されている。メッセージ記憶装置38は、マイクロコントローラ24に結合され、エントリポート12に受信するメッセージを記憶する、記憶装置38は、それぞれのメッセージに対する応答が受信されアクノレジメントされたことを確認する表示を記憶するエリア40を有している。マイクロコントローラ24からの出力端子42は、送信機16により送信される前にフォーマット化されるべきデータパケットを供給するためにPAC14に結合されている。
受信機22により受信した応答は、PAC14を経由して信号分析器44に送られる。各応答が成功裏に分析されると、それは記憶装置38中のメッセージと照合させるためにマイクロコントローラ24に送られる。一度、照合が取れれば、マイクロコントローラは次の勧誘信号をダウンリンク上に送出する時に送信されるべきアクノレジメントの準備をする。適切な時点で、応答の受取人は例えば電子メール又は一方向ページング・メッセージにより知らされるか、又は応答はそれぞれのページャ番号と共に記憶され、加入者は自分の都合の良い時に記憶装置に問い合わせることができる。一度、マイクロコントローラ24が全ての実際的な目的に対し全ての応答が受信されたと決定すると、エントリポート12の経路で更なるメッセージを受信する準備をするために、マイクロコントローラはメッセージ記憶装置38中のメッセージを消去する。更に好都合なことは、２個の半部を有することができ、一方の半部はダウンリンク上に既に送出されたメッセージのアクノレジメントを取り扱い、他方の半部は送出すべきメッセージを記憶する。
図６は、メッセージの送信、応答の受信、及び応答へのアクノレジメントに関連する動作シーケンスを示す流れ図である。ブロック50は開始を示す。ブロック52はメッセージのシーケンスの送信に関係し、ブロック52に勧誘信号の送信のブロック54が続く。ブロック56はPRDS応答の受信に関係し、PRDSはブロック58において分析され、それぞれのメッセージと照合される。ブロック60はアクノレジメントの送信に関係する。ブロック62において、成功した応答の数が十分な数の応答を受信したことを示すしきい値を超えているか否かを知るための検査が実施される。回答がNo(N)であれば、流れ図はブロック64に進み、そこで勧誘の予めに決定された最大値を超過したかを知る検査が実施される。回答がNo(N)であれば、流れ図はブロック54に戻る。ブロック62及び64からのYes(Y)回答は、流れ図をブロック52に戻らせることになり、このサイクルが繰り返される。
図７において、ページャ20は制御プロセッサ72に結合されている復号器70に接続される受信機68を有する。プロセッサ72は読み取り専用メモリ74に記憶されるプログラムに従って動作する。このプロセッサはまた、そのページャの固有のアドレスを収容するアドレス記憶装置（図示されていない）を含む。ページャがメッセージを受信する場合には、メッセージはRAM76に記憶される。このメッセージは、制御プロセッサ72に結合されている関連ドライバ78を持つLCDパネル80上に連続して表示される。音響変換器82、発光変換器84及び振動器86を有することができる告知器は、制御プロセッサ72に結合されている。キーパッド88は、利用者が例えば記憶されたメッセージをパネル80上に表示するような各種の機能を実行するようにプロセッサに指示できるようなマンマシン・インタフェースを与える。送信機90は、プロセッサ72の出力端子及びアンテナ92に結合されている。受信機電力制御段94は、ページング・プロトコルが従う規定に準拠してバッテリ保存を実行するために、プロセッサ72と受信機68の間に結合されている。ページャが応答信号をPRDS信号として送出する場合に、制御プロセッサ72はページャの識別及び／又は元のダウンリンク・メッセージ中の情報を考慮して送信されるべきシーケンスを決定するための手段を有する。PRDSは次いで、送信のために送信機90へ送られる。オプション電力制御が送信機90に与えられるならば、電力制御信号はプロセッサ72により制御線96を経て供給される。
更に、アップリンク上に送信される信号は、登録のようなサービス要求を含むことができるので、本発明はそのようなサービス要求を、送出されるメッセージとの照合はないということを除いて、応答と同様に処理することに等しく適用できる。
アップリンクPRDSを決定する方法は、ダウンリンク・メッセージに応答する時に大きな柔軟性が得られることを可能にする。図８において、応答PRDSは、２個の12タップ線型帰還シフトレジスタ100,102及び６タップ線型帰還シフトレジスタ104を使用して生成される。これらシフトレジスタの出力端子は、排他的OR(XOR)ゲート106に結合されている。各シフトレジスタは、ｎビットXORマスク108,110,112及びｎビット・シフトレジスタ114,116,118を有する。シーケンス・ジェネレータ100,102に対してはｎ＝12であり、シーケンス・ジェネレータ104に対してはｎ＝６である。全てのシーケンス・ジェネレータ100,102,104は同一のクロックで動作する。
図９はｎビット・シーケンス・ジェネレータの一例を示すが、これは既知であり、従って詳細な説明は行わない。
この例において、マスク108,112,及び110それぞれのデフォルト・パラメータｈa，ｈb，ｈcは829h，30h及びB64hであり、シフトレジスタ114,118及び116のデフォルト・パラメータａ，ｂ，ｃは、
001h，(［X］DIV2N）DIV212，(［X］DIV2N）MOD212
であって、ここで下付き文字のｈは16進法を示し、［X］はPOCSAG標準においてページャのRICの21ビット・アドレス及びフレームを示し、［N］は３〜７の間の演算子定義の定数である。デフォルト・フェーズは
(212DIV2N)×(［X］MOD2N)
により決定される。以下の記述において、下記のパラメータがそれらのデフォルト値と共にページャにより要求される。
それらは以下の記述において一層詳細に説明される：
フエーズ・ステップ：８
送信：イネーブルド（Enabled）
送信の前に、ページャはシーケンス・ジェネレータを所定のフエーズへ初期化することが要求される。シーケンスのフエーズ０は、初期に負荷されたレジスタに相当することに注意すべきである。フエーズｎは、レジスタをｎ回クロックすることにより達成される。指示されれば、ページャは種々のパラメータを使用できる。
パラメータｈa，ｈb及びｈcは、P.N.ファミリを定義することに注意すべきである。所定のシステム中の全てのページャは、同一のファミリを使用しなければならない。パラメータｂ及びｃは、コード・シーケンスを定義する。アンサーバック・コードは、シーケンス及びフエーズの両者に関係する。
送信が要求されると、シーケンス・ジェネレータはチップ・シーケンスを生成するようにクロックされる。クロックの開始を要求される時点は、下記の規則に従う：
ｉ．ページャは、勧誘制御シーケンス（ICS）を受信した後にのみ応答する。
ii．送信シーケンスは、勧誘メッセージの終わりに続く第２の同期符号語の開始時期に到った時点で開始しなければならない。
この例は、図10に示される。
iii．送信シーケンスの最初のビットは、図11に示すように同期符号語の最初のビットが開始する時に開始しなければならない。これに対する許容誤差は±100マイクロ秒である。
iv．送信長は勧誘制御シーケンスにより決定される。レジスタは、Ｌ回クロックされる。ここにＬは、勧誘制御シーケンス中の［長さ］パラメータにより特定される。
ｖ．コード・シーケンスのチップ・レートは9600チップ/秒で、許容誤差は10ppmである。
変調の前に、発生されるチップ・シーケンスは、隣接25kHzチャネルにおける全干渉は-25dBcであるようにフイルタされる。
以下に両方向制御シーケンスを説明する。
基本的な原理は下記の通りである：
ページャは、ページングPNCシステムにより送出される勧誘に応答してのみ送信する。各ページャは異なるシーケンスを使用するので、１個より多くのページャが同時に送信できる。ページャは、特別なリターン・チャネルRIC又は他の情報を予めプログラムする必要はない。
ページャは、応答する方法及び時期を決定するために、POCSAG（又はCCIR無線ページング符号No.1）メッセージに組み込まれている制御シーケンスを使用する。制御シーケンスは利用者への通常のテキスト・メッセージの一部として送られ、あるシーケンスは自分自体に特別なページャ・メッセージとして送られる。
文字は下記のように２種類の方法の内の１つで定義される。
＜Valueh＞：16進フォーマットのASCII文字である。その有効範囲は、
＜00h＞〜＜1Fh＞である。
“Character″：表示されるASCII文字。
例えば、“A″及び＜41h＞は同一の文字を定義する。POCSAG標準によれば、各文字の最下位ビットが先ず送信されることに注意すべきである。
制御文字は、＜00h＞〜＜1Fh＞及び＜7Fh＞の内の任意の文字である。印刷可能の文字は、任意の他の文字である。
表１は制御シーケンスをまとめてあり、これらの命令が詳細に定義されている。不正確に受信した制御シーケンス又は不正確に構成されたシーケンスは、ページャによって無視されねばならない。
これらのシーケンス中、ただ３個（勧誘、応答の割り振り、及び高速勧誘制御シーケンス）が効果的な両方向通信に不可欠であることに注意すべきである。他の全ての制御シーケンスは、各種の機能強化を与える。自動アクノレジメントのみの実施を希望するオペレータには、高速勧誘制御シーケンスのみが要求される。
0003933707.tif 000002
勧誘制御シーケンスICSは、いかにページャが応答すべきかを定義する。ICSは個々のページャ又はページャ群に送出される。ICSは、応答割り振り制御シーケンスRACSと組み合わせて使用される。
高速勧誘制御シーケンスFICSは、RACS/ICSの対の代わりに送出することができる。
ページャは応答を直ちに送出する。
勧誘制御シーケンスICSは、ページャに対して下記を定義する：
許容される回答の形式。
参照パラメータ。
上記の段階的除去方法の実施時に使用されるスロット番号。
下記はオプションのパラメータである：
ページャが送信すべき時間長。
時刻スタンプ。
いくつかの認識（recognition）ビット。段階的除去が使用される時に、ページャはこれらのビットを用いて、自己の送信は受信されたか、及び再送信は必要かを決定する。
勧誘制御シーケンスICSは、下記のフォーマットを持つ：
＜1Eh＞’Ｉ’［Type］［RefICS］［Slot］｛［Length］｝｛［Time］｝｛［REC］｝
ここで：
［Type］ページャからいかなる形式のアンサーバック応答が許容されるか、及びどのオプショナル・パラメータが使用されるべきかを定義する。［Type］は、［20h］〜［5Fh］の間の値とすることができる。６ビット数は、下記のように解釈されねばならない：
ビット５がセットされれば：請求応答勧誘（Solicited Response Invitation）
ビット０  アクノレジメント。この（最下位）ビットがセットされれば、ページャはアクノレジメント応答を送出することができる。
ビット１  表示された応答。このビットがセットされれば、ページャは表示された応答を送出することができる。
ビット２  特定のメッセージに対する利用者回答可能応答。このビットがセットされれば、ページャは特定の利用者回答可能応答を送出することができる。
ビット３  あらゆるメッセージに対する利用者回答可能応答。このビットがセットされれば、ページャは一般的な利用者回答可能応答を送出することができる。
ビット４  利用者回答応答。このビットがセットされれば、ページャはメッセージに実際の回答を送出することができる。
ビット５がクリアされれば：非請求応答勧誘
ビット０〜４  非請求応答番号（Unsolicited Response Number）であり、ビット０〜４は０〜31の間の５ビット数を定義する。
請求応答及び非請求応答は、後に説明される。
［RefICS］  勧誘に対する固有識別を定義する。［RefICS］は、［20h］〜［7Eh］の間の95の値の内の１つを有することのできる単一文字である。これは、ページャが一連の関連する勧誘制御シーケンスICSを常時知ることを可能にする。
ページャは、［RefICS］がRACS中の［RefRACS］に一致する時にのみ、ッセージに対してアクノレジメントを送出する。
メッセージに対する他の形式の応答については、応答割り振り制御シーケンスRACS中の［Time］パラメータに時間制限が規定される。
［Slot］  これは、段階的除去の実行に用いられ、及び一連の勧誘制御シーケンスICSを定義する。［Slot］は、30h〜3Fhの間の単一文字である。その値は、最下位４ビットから決定される。段階的除去が使用されないならば、それは常に０（＜30h＞）を含んでいる。
｛［Length］｝  ［Type］が＜20h＞であれば、存在しないパラメータである。ページャ内のシーケンス・ジェネレータがクロックされなければならない回数Ｌを次のように定義する：
ビット４及びビット５をセット：Ｌ＝２N，但しＮは、ビット０〜３により定義される０〜15の間の数である。
ビット４をクリア、ビット５をセット：Ｌ＝３×２N。
ビット４をセット、ビット５をクリア：Ｌ＝５×２N。
ビット４及びビット５をセット：Ｌ＝75×２N。
｛［Time］｝  ［Type］が＜20h＞又は＜21h＞であれば、存在しないパラメータである。それは下記のフォーマットで３文字：dhmを有する；dは１〜31の31日の値の内の１つを持ち；hは０〜23の24時間の値の内の１つの値を持ち；mは０〜59までの60分の値の内の１つを持つ。全ての場合において、これらの値は＜20h＞〜＜5Fh＞の間の文字が使用される、送られた文字の最下位６ビット文字により決定される。
それは現在の時刻を定義する。
あるいはまた、［Time］が‘i’（＜69h＞）であれば、ページャは現在の時刻の決定に自身の内部時計を使用する。
｛［REC］｝  このパラメータは、［Slot］が０（＜30h＞）であれば存在しない。それはページング・システムにより応答が受信されたことをページャに通知する認識ビットを含む。このパラメータの使用に関しては後述する。
この命令は、メッセージを終了させなければならない。
応答割り振り符号シーケンスRACSは、常にメッセージに組み込まれて送出され、応答を要求するようにメッセージを定義する。それは、単一のページャ又は一群のページャに送出することができる。ページャは、ICSを受信するまでは応答を送信しないことに注意すべきである。
ICS及びRACSが別々の制御シーケンスとして定義されることは、必要ならば、多数のページャが同時に応答を送信することを保証する。
RACSはページャに対して下記を定義する：
形式パラメータ；これは、メッセージに許容される応答の形式を制限し、どのオプショナル・パラメータを使用すべきかを定義する。
下記がオプショバル・パラメータである：
参照パラメータ；これはICS中の参照パラメータと共に使用される。
非アクノレジメント応答を制限する時刻スタンプ；
現在のメッセージに対して使用される割り振られた応答ビットARB；これは段階的除去を実施するために使用され、ページャが応答が要求されるか又は以前の応答が受信されたかを決定できるように、ICS中の［REC］パラメータと共に使用される。
ARBに対する時刻スタンプ；
メッセージに使用されるアンサーバック符号。
応答割り振り符号シーケンスRACSは、下記のフォーマットを有する：
＜1Eh＞’T’［Type］｛［RefRACS］｝｛［Time］｝｛［ARB］｝｛［TimeARB］｝｛［Code］｝
［Type］  メッセージに対し応答のサブセットのみを与えるように、ページャを制限する。［Type］は、［20h］〜［5Fh］の間の値を持ち１文字である。それは、下記のような６ビット数として解釈されなければならない：
ビット０  アクノレジメント。この（最下位）ビットがセットされると、ページャはこのメッセージに対してACK応答を送出することができる。
ビット１  表示された応答。このビットがセットされると、ページャはこのメッセージに対してDISP応答を送出することができる。
ビット２  特定のメッセージに対する利用者回答可能応答。このビットがセットされると、ページャはこのメッセージに対してANR,FLG又はANSn応答を送出することができる。
ビット３  RECビットの割り振り。セットされれば、［ARB］がRACSに含まれる。
ビット４  ARBに対する別個のタイムアウト。セットされれば、［TimeARB］は、RASCに含まれる。これは、ビット３がセットされる時のみセットされる。
ビット５  存在する符号。セットされれば、［Code］がRACSに含まれる。
｛［RefRACS］｝  ［Type］のビット０がセットされる時に限り存在するパラメータ。それは、応答に対する固有識別を定義する。
［20h］〜［7Eh］の間の95個の値の内の１つを持つことのできる単一文字である。
ページャは、［RefRACS］がICS中の［RefICS］に一致する時に限りアクノレジメントを送出できる。メッセージに対する他の形式の応答に対しては、［Time］パラメータに規定される時間制限が使用される。
｛［Time］｝      アクノレジメントされないページャ送信に対して時間制限を設定するパラメータ。このパラメータは、［Type］パラメータのビット１及び２がクリアされている時には存在しない。この時間制限外では、メッセージに対して応答を送出できない。時間制限は、時刻スタンプの使用又はページャ内部時計の使用の２方法の内の１つにより規定される。時刻スタンプが使用されれば、［Time］はICS［Time］パラメータとフォーマットにおいて同一である。その内容は、現在の時刻と要求された勧誘ウインドウとである。
ICS［Time］パラメータが［Time］パラメータより少ない時に限り、メッセージに対する応答を行うことができる。
ページャの内部時計が使用されれば、［Time］は＜60h＞〜＜7Eh＞の間の単一文字である。メッセージに対する応答は、下記の意味を持つ次の［Time］に対してのみ行われる：最下位４ビットを使用の分単位の＜60h＞〜＜6Fh＞の時間制限；＜70h＞30分；＜71h＞60分；＜72h＞120分；＜73h＞180分；＜74h＞360分；＜75h＞12時間；＜76h＞24時間；予約された他の全ての値。
例えば、［Time］が’e’（＜65h＞）であれば、ページャはメッセージに対して次の５分間にわたって応答を送信できる。［Time］が’JF！’（＜4Ah＞＜46h＞＜21h＞）であれば、ICSがその月の10日の0633以前の時刻スタンプを有する時に限りページャはメッセージに対する応答を送出することができる。
｛［ARB］｝  このパラメータは、［Type］のビット３がセットされる時にのみ存在し、現れページャのためにRECビットを定義する。
単一ページャへの呼に対して：このパラメータは、それぞれ’0’〜’9’、’A’〜’F’の値を有する２個の16進法の文字を含む。
両方の組み合わせにより、’00’〜’FF’の範囲の２桁の16進法の数字を構成する。
１群のページャへの呼に対して：このパラメータは３文字’Gn1n2’を持つが、n1n2はそれぞれ’０’〜’９’の間、’Ａ’〜’Ｆ’の間の値を有する２個の16進法の文字である。両方の組み合わせにより、’00’〜’FF’の範囲の２桁の16進法の数字を構成する。
あるいはまた、それは１文字’Ｌ’を含むこともできる。これはページャに［ARB］の以前の値の使用を指示する。
｛［TimeARB］｝  このパラメータは、［Type］のビット４がセットされる時にのみ存在する。
このパラメータの内容のフォーマットは、［Time］のフォーマットと同一である。それは［ARB］に適用する時間制限を規定する。このパラメータが存在しなければ：
［Time］が存在すれば、それは［ARB］に適用する時間制限を規定する。
他の場合は、［ARB］は［RefRACS］が勧誘制御シーケンスICS中の［RefICS］に一致する時にのみ適用する。
｛［Code］｝  このパラメータは、［Type］のビット５がセットされる時にのみ存在すれる。このパラメータは、この特定のメーセージへの全ての応答に対してページャにより使用される符号を定義する。これは、一時的シーケンス割り振り制御シーケンスTSACS及び一時的フェーズ割り振り制御シーケンスTPACSに代わりに使用できる。
［Code］は、下記のようにフォーマットされた２、３又は５個の文字を有する：
２文字：［Phase］
３文字：［Init b][Init c］
５文字：［Init b]［Init c]［Phase］
ここで、
［Init b］  １文字を有する。最下位６ビットが、’b’６ビットイニシアライザを定義する。ビット７は無視されて、いかなる値を持っても良い。
［Init c］  ２文字を有する。各文字の最下位６ビットと共に、’c’12ビットイニシアライザを定義する。２文字の内の第１のものは最上位６ビットを含み、第２のものは最下位ビットを含む。両方の文字において、ビット７は無視されて、いかなる値を持っても良い。
［Phase］  ２文字を有する。各文字の最下位６ビットは共に、０〜4095の間の12ビット数を定義する。２文字の内の第１のものは最上位６ビットを含み、第２のものは最下位ビットを含む。両方の文字において、ビット７は無視され、いかなる値を持っても良い。
この命令は、RACSの長さが分かっていないので、デリミッタ（delimiter）を必要とする。高速勧誘制御シーケンスFICSは、勧誘制御シーケンスICS及び応答割り振り制御シーケンスRACSの組み合わせであり、個々のページャ又は一群のページャに送出できる。ページャは、応答を直ちに送出することができる。
FICSは下記のフォーマットを持つ：
＜1Eh＞’F’［Length］
ここで、［Length］はICS命令の中のそれと同一である。
FICSは下記のICS及びRACSと同じであることに注意すべきである：
＜1Eh＞’1’＜21h＞［Ref］＜30h＞［Length］＜1Eh＞’T’＜41h＞［Ref］
ここで、［Ref］はいかなる文字でもよい。これはアクノレジメント応答のみに限定され、段階的除去の実施には使用できない。
この命令は、FICSの長さが既知であるので、デリミッタを必要としない。
組み込まれた回答制御シーケンス（EACS）は、利用者にメセージに対する回答を与えることを可能にするために用いられる。EACSは、RACSと同一のメッセージで送出でき、そのメッセージにしか適用されない。
組み込まれた回答の２個の形式がサポートされている。第１に、実際の回答メッセージがメッセージに組み込まれて送出される。第２に、応答の予め定められたディレクトリが特定される。この場合は、ただ１個のEACSがメッセージ中に送信されるであろう。
これらの形式は、専用的に使用されねばならない。１個のメッセージは、どちらかの形式のEACSを含むことはできるが、両方の形式のEACSを含むことはできない。
第１の形式では、EACSは下記のフォーマットを有する：
＜1Eh＞’R’［Answer］
［Answer］は、印刷可能な文字を用いる一連のものである。＜20h＞〜＜7Eh＞の範囲に無い文字は、許容されない。
この命令は、これに続く命令（例えば、別のEACS，又はEOC）、又はメッセージの終了により、デリミットされる。
この形式の１個以上のEACSを、メッセージ中に送信することができる。そのようなメッセージの受信により、ページャは利用者に回答を選択するように促す。また追加の暗黙EACSが存在する。それは、ページング・システムでは送出されないが、利用者が希望すれば応答として選択できる。これは下記で表される：
「これらの何れでもない」（“None of these″）
例えば、メッセージは下記とすることができる：
今夜マクドナルドで会いませんか？＜1Eh＞R6pm＜1Eh＞R7pm＜1Eh＞R8pm＜1Eh＞RNo＜1Eh＞R私は後で君に電話するだろう。
そのようなメッセージを受信すると、ページャは利用者に下記から回答を選択するように促すであろう：
午後６時（6pm）
午後７時（7pm）
午後８時（8pm）
否（No）
私は後で君に電話するだろう。
それらの何れでもない。
第２の形式では、ページャに予め記憶された準備された回答が使用されるであろう。ただ１個のEACSを、下記のフォーマットでメッセージ中に送信することができる：
＜1Eh＞’rx’
ここで、ｘは’0’〜’9’の間、’A’〜’F’の間の１桁の16進数である。
これはページャ中の16個の準備された回答辞書の１つを識別する。辞書は、256エントリまでのいかなる長さでもよいことに注意すべきである。準備された回答辞書はオプショナルであり、要求される限りの数がオペレータによって定められる。
この形式の命令は、その長さが既知であるのでデリミッタを必要としない。
回復デフォルト割り振り制御シーケンス（Restore Default Allocation Control Sequence）RDACSは、デフォルト・フィードバック・マスク、イニシアライザ、及びページャにより使用されたフエーズを回復するために使用される。それは、個人宛メッセージ及びグループ宛メッセージの両者に送信できる。この命令は、PPFCS，PSACS及びPPACSの影響を除去する。
RDACSは、いかなる時にも送出できるが、RACSを含むメッセージ中に送信されねばならない。これは、ページング・システムに、RDACSが正確に受信されたか否かを決定できるようにする。
RDACSは、下記のフォーマットを持ち、パラメータは持たない：
＜1Eh＞’D’
この命令は、RDACSの長さが既知であるので、デリミッタを必要としない。
命令終了（EOC）制御シーケンスは、要求されれば制御シーケンスの終了をマークするためのデリミッタとして、どのようなメッセージ中にも送信できる。他の制御文字又はメッセージの終了は、また、制御シーケンスの終了をマークすることに注意すべきである。
EOCは下記のフォーマットを持ち、パラメータは持たない：
＜1h＞’E’
一時的シーケンス割り振り制御シーケンスTSACSを、個人宛メッセージ及びグループ宛メッセージ中に送信できる。TSACSは、［Code］パラメータを持たないRACSと同じメッセージ中に限り送信でき、そのメッセージへの応答にのみ適用される。
TSACSは下記のフォーマットを有する：
＜1Eh＞’x’［Init b］［Init c］
［Init b］    １文字を有する。最下位６ビットは、’b’6ビットイニシャライザを定義する。ビット７は無視され、いかなる値を持っても良い。
［Init c］    ２文字を有する。各文字の最下位６ビットと共に、’c’12ビットイニシアライザを定義する。２文字の内の第１のものは最上位６ビットを含み、第２のものは最下位ビットを含む。両方の文字において、ビット７は無視され、いかなる値を持っても良い。
TSACSがグループ呼として送信されれば、シーケンスおよびフエーズの両者は後述のように一時的に調整されることに注意すべきである。
一時的フェーズ割り振り制御シーケンスTPACSは、ページャの固有RICのみに送出でき、グループ呼として送出できない。それは、ページャにより使用されるデフォールト・フエーズに優先するように用いられる。TPACSは、［Code］パラメータを有さないRACSと同一のメッセージ中にのみ送出され、そのメッセージへの応答としてのみ適用される。
TPCASは下記のフォーマットを有する：
＜1Eh＞’z’［Phase］
［Phase］    ２文字を有する。各文字の最下位６ビットは、０〜4095の間の12ビット数を定義する。２文字の内の第１のものは最上位６ビットを含み、第２のものは最下位ビットを含む。両方の文字において、ビット７は無視され、いかなる値を持っても良い。
ページャが使用するシーケンスのフェーズは、［Phase］である。このパラメータの使用は、表２と関連して後述する。
この命令は、TPACSの長さが既知であるので、デリミッタを必要としない。
送信可能／禁止命令制御シーケンス（TEICS）は、ページャ送信を禁止するため又は可能にするために送信される。TEICSは下記のフォーマットを有する：
＜1Eh＞’A’      ディスエーブル（不可）
＜1Eh＞’z’      イネーブル（可能）
この命令は、ページャ中の送信パラメータを変更する。イネーブルされれば、ページャは送信できる。ディスエーブルされれば、ページャは送信できず、単に一方向ページャとして機能するにすぎない。
この命令は、TEICSの長さが既知であるので、デリミッタを必要としない。
恒久的P.N.ファミリ割り振り制御シーケンス（PPFACS）は、ページャの固有RICのみ送出でき、グループ呼として送出できない。それはシーケンス・ジェネレータにより使用されるデフォルトXORフイードバック・マスクに優先するように用いられる。
PPFACSは、［Code］パラメータを有さないRACSと同一のメッセージ中にのみ送出され、それ及び全ての続くメッセージに適用される。
ページング・システムの全てのページャは、同一ファミリを使用しなければならない。この命令は、異なるデフォルト・ファミリを使用するローミング（roaming）ページャに送られねばならない。
PPFACSは下記のフォーマットを有する：
＜1Eh＞’P’［Mask ha］［Mask hb］［Mask hc］
［Mask ha］  ２文字を有する。各文字の最下位６ビットは共に、’ha’12ビット・フイードバック・マスク108（図８参照）を定義する。２文字の内の第１のものは最上位６ビットを含み、第２のものは最下位ビットを含む。両方の文字において、ビット７は無視され、いかなる値を持っても良い。
［Mask hb］  １文字を有する。最下位６ビットは、’hb’６ビットフイードバック・マスク112（図８）を定義する。ビット７は無視され、いかなる値を持っても良い。
［Mask hc］  ２文字を有する。各文字の最下位６ビットは共に、’hc’12ビット・フイードバック・マスク110（図８）を定義する。２文字の内の第１のものは最上位６ビットを含み、第２のものは最下位ビットを含む。両方の文字において、ビット７は無視され、いかなる値を持っても良い。
この命令は、PPFACSの長さが既知であるので、デリミッタを必要としない。
一時的P.N.ファミリ割り振り制御シーケンスTPFACSは、ページャ固有RICへのみ送出でき、グループ呼として送出できない。それは、シーケンス・ジェネレータにより使用されるデフォルトXORフイードバック・マスクに優先するように用いられる。TPFACSは、［Code］パラメータを有さないRACSと同一のメッセージ中にのみ送出され、そのメッセージに対する応答のみに適用される。
TPFACSは下記のフォーマットを有する：
＜1Eh＞’Q’［Mask ha］［Mask hb］［Mask hc］
但し、パラメータはPPFACSについて上述したものと同様である。この命令は、TPFACSの長さが既知であるので、デリミッタを必要としない。
恒久的シーケンス割り振り制御シーケンスPSACSは、ページャの固有RICへのみ送出でき、グループ呼出として送出できない。それは、ページャにより使用されるデフォルト・シーケンス・レジスタに優先するように用いられる。PSACSは、［Code］パラメータを有しないRACSと同一のメッセージ中にのみ送信でき、それ及び全ての続くメッセージに適用される。
PSACSは下記のフォーマットを有する：
＜1Eh＞’W’［Int b］［Int c］
ここで、パラメータは、TSACSについて上述したものと同様である。
この命令はPSACSの長さが既知であるので、デリミッタを必要としない。
恒久的フェーズ割り振り制御シーケンスPPACSは、ページャの固有RICへのみ送出でき、グループ呼として送出できない。それは、ページャにより使用されるデフォルト・フェーズに優先するように用いられる。PPACSは、［Code］パラメータを有しないRACSと同一のメッセージ中にのみ送信でき、それ及び全ての続くメッセージに適用される。
PPACSは下記のフォーマットを有する：
＜1Eh＞’Y’［Phase］
［Phase］      ２文字を有する。各文字の最下位の６ビットは０〜4095の間の12ビット数を定義する。２文字の内の第１のものは最上位な６ビットを有し、第２のものは最下位ビットを有する。両方の文字において、ビット７は無視され、いかなる値を取っても良い。
この命令は、PPACSの長さが既知であるので、デリミッタを必要としない。
フェーズ・ステップ定義シーケンスPSDCSは、許可された符号間のフェーズ・ステップを定義する。それはローミング・ページャの再プログラムに典型的に使用される。
PSDCSは下記のフォーマットを有する：
＜1Eh＞’S’［Phase Step］
［Phase Step］いかなる値を有してもよい１文字を有する。最下位の６ビットは、ページャで使用されるフェーズ・ステップを定義する。ビット７は無視され、どのような値を取っても良い。
この命令は、PSDCSの長さが既知であるので、デリミッタを必要としない。
ある場合には、利用者に表示されるべきメッセージの一部中の文字として制御文字を送信する要求が存在する可能性がある。そのような場合は、拡張制御文字がオペレータにより定義される。
本発明の実施例において、両方向ページャはトーン呼出しを使用しない。その代わりに、単一アドレス符号語が使用されているページング呼は、ページャによる送信へのアクノレジメントとして解釈されねばならない。それらは、勧誘制御シーケンスICS中のRECパラメータの使用に代わるものである。
POCSAGページャについて、アドレス符号語に使用される機能ビット、すなわちビット20および21は、ページャが応答すべきICSを識別する。この機能ビットは、ICS［RefICS］パラメータの２個の最下位ビットと一致する。
そのような呼の使用はオプショナルである。
ページング・システムにおける前記の命令シーケンスの使用、及び両方向ページングを実施するために、いかにページャは命令シーケンスに応答すべきかについて説明する。
下記が適用される：
２種類の送信をページャから送出できる：
i)  請求（Solicited）          これらは、メッセージの結果としてページャによりなされた予想される送信である。
ii) 非請求（Unsolicited）      これらはページャによりなされた予想されない送信である。例えば、ローミングの登録のとき、又は利用者が情報を要求するとき。
ページャは、勧誘制御シーケンスICS又は高速制御シーケンスFICSが受信された後にのみ、応答を送信できる。制御シーケンス中のパラメータは、応答が許可されるか及びどの様な種類の応答が許可されるかを決定するために使用される。非請求応答が求められる時以外は、ICSがRACSと共に使用される。FIISは独自に使用される。
ページャは、メッセージに対する応答として、数種類の符号の１つを送信することができる。種々の符号の意味は後に定義される。
アンサバック符号は、３つのカテゴリの内の１つに該当する：
i)  デフォルト        これらは、既に図８及び９の記述に関連して定義された。
ii) 恒久的            場合によっては、ページャはメッセージへの応答に対して種々のアンサバックを使用することが指示される。そのような指示は、典型的にローミング・ページャに与えられる。RDACSは、利用者にデフォルト符号の使用を再開させるる。
iii）一時的            メッセージは、そのメッセージに対してのみページャによって使用されるアンサバック符号を含むことができる。メッセージに対する後の応答はデフォルト又は恒久的符号を使用する。
オペレータは、２つの基本的なストラテジーの１つを使用できる。
１）ページャに、メッセージに直ちに応答するように勧誘する。これは、同一メッセージ中にICS及びRACSを送出するか、又はFICSを送出することにより達成される。一般に、極く僅かの個数のページャのみが同時に応答を送信するであろう。
２）ページャに共に応答するように勧誘する。これは、個個の別メッセージ中にRACSを送出して、次いでグループ呼としてICSを送出することにより達成される。アップリンク及びダウンリンク送信に同一周波数が使用されれば、この方法が要求される。
メッセージに対する応答の送信に、合計２18個のシーケンスがページャにより使用可能である。フェーズ・ステップに応じて、１シーケンス当たり最大512個の符号が利用できる。これは最大２27個の符号が使用可能であることを意味する。
これらの符号は、２つの目的の内の１つについて、個々のページャに対する予約された符号として、又は一般使用のための予備符号として使用可能である。
定数［Ｎ］及びパラメータ［Phase Step］は、（符号生成に関連して前述したように）多くのオプションを提供する。フェーズ・ステップ値の８及び16について、これらを表２に示す。
0003933707.tif 000003
上記において定義された命令シーケンスは、（シーケンス及びフェーズの両者の）符号を、メッセージ・ベースでメッセージに割り振りできるようにする。３つのストラテジーが利用できる：
１）シーケンス又はフェーズ再割り振りの使用禁止且つ予備シーケンスの所持禁止。このストラテジーは、一度に唯１つの両方向メッセージの送出できることを意味する。
２）フェーズ再割り振りのみの使用。この場合には、一定数のページャがそれらに与えられたシーケンスのフェーズを共用するであろう。例えば、［Ｎ］が４で、［Phase Step］が８であるならば、16個のページャが同一シーケンスの256個のフェーズの全てを共用するであろう。
３）シーケンス及びフェーズ再割り振りの常時使用。この場合、［Ｎ］は大きな値に設定され、予備シーケンスが常にメッセージに対して使用されねばならない。
種々の組み合わせが使用できる。ローミングがサポートされるならば、ローミング・ページャはその［Phase Step］パラメータを再プログラムする必要があるであろう。
ページャは、それぞれが異なる意味を持つ多数のシーケンスの内の１つを送信できる。基地局での処理を制限するために、ICSはページャからの送信を、ICS及びRACS中の［Type］パラメータの適切な使用により、サブセットに限定できる。
ページング網制御器により請求される送信は、下記を含む：
ACK:   アクノレジメント。これはページング網制御器にメッセージは正確に受信されたことを通知する。
DISP:  表示された。これはメッセージは、正確に受信され、利用者に表示されたことをページング網制御器に通知する。
ANR:   回答準備完了。これは、メッセージに対する利用者回答が準備完了であることをページング網制御器に通知する。
FLG:   いかなる回答も準備完了。これは、いかなるメッセージに対する利用者回答も準備完了であることをページング網制御器に通知する。
ANSn:  メッセージに対する実際の回答であり、nは数である。
非請求送信は下記を含む：
REG:   登録。
DAT:   データ、そこでは高速アップリンク・データ速度が使用される。
ページャにより使用される疑似ランダム・データ・シーケンスは、図８及び９の記述に関連して定義されている。しかし、それは表１に定義された命令の受信により変更できる。ページャは、アンサバック・フェーズを下記のように使用しなければならない：
0003933707.tif 000004
ここで、ページャのデフォルト・フエーズ及びフェーズ・ステップは、既に定義済である。フェーズ・ステップは、表１に定義される命令により変更可能である。下記の制約が適用される：
REG及びFLG応答は、一時的シーケンス又はフェーズ上に送出できない。
ページャに対して応答を要する１個より多くのメッセージが送出されるならば、RACS［Code］パラメータ、又はTSACS及びTPACSが使用されるべきである。
ページャが１個より多くのメッセージに対して応答準備完了であれば、最も古いメッセージに対する応答が与えられるべきである。例外は、フラグメント化されたメッセージが送信され他の規則が適用される時である。
下記の規則が、ページャによる応答の送出が許可されるか否かの決定に使用されねばならない。ICS、RACS及びFICSが参照される。段階的除去が使用されれば、段階的除去の論議に関連して後に定義される規則が適用される。
メッセージに対するアクノレジメント応答ACKは、下記の条件が適用される時に限り、送出することができる：
下記の全ての内の何れかである：
RACS［Type］パラメータが、アクノレジメントを許可する。
ICS［Type］パラメータが、アクノレジメントを許可する。
RACS［RefRACS］及びICS［RefICS］パラメータが、同一である。
ICSが、RACSの後に受信した最初のICSである。
又は：
FICSが送信されている。
更に下記が適用される：
メッセージは受信され、全ての誤りは訂正された。
メッセージは１日以内のものである。
メッセージへのDISP応答は、下記の全ての条件が適用される時に限り送信が許される：
メッセージが利用者に表示された。これはページャに依存する機能であることに注意すべきである。
RACS［Type］パラメータが、表示された応答を許可する。
ICS［Type］パラメータが、表示された応答を許可する。
RACS［Time］パラメータが、ICS［Time］パラメータより大きい。
メッセージは、16日以内のものである。
もしメッセージに対する前のDISP送信が送出されたが、アクノレジメントされていない。
多くて、［R］個のDISP送信が、メッセージに対してなされていた。ここに、［R］は、オペレータによって定められる。
例えば、Rが３であれば、段階的除去による再送信は数えないで、ただ３回のDISP送信がメッセージの対してなされるであろう。
ANR,FLG及びANSn応答は、メッセージへの利用者の回答を伝達するために使用される。それらの用途は、下記の通りである：
ANR:  利用者の回答が、送出準備完了である。この種の応答は、回答を検索する前に回答が準備完了であるか否かを、オペレータが調べることを可能にし、このことは、処理負荷を軽減する。
FLG:  この応答は、回答を持つページャに１つより多くのメッセージが送信された時にのみ使用される。それは、いずれの未処理のメッセージに対しても回答の準備が完了していることを示す。
ANSn: これはメッセージに対する実際の回答である。
これは３つのストラテジーの１つの使用を可能にする：
１）  ANR応答を要求し、次いでANSn応答を要求する。これは、多数の応答が予測される時に、使用されるべきである。
２）  FLG応答を要求し、次いでANSn応答を要求する。
３）  単にANSn応答を要求する。これは、予測される応答数が少ない時に使用されるべきである。
メッセージに対するANR応答は、下記の条件が適用される場合に限り送出することができる：
利用者がメッセージに対する回答を有している。これは、ページャに依存する機能であることに注意すべきである。
RACS［Type］パラメータが、利用者回答応答を許可する。
ICS［Type］パラメータが、特定の利用者回答準備完了応答を許可する。
RACS［Time］パラメータが、ICS［Time］パラメータより大きい。
メッセージは16日以内のものである。
多くて［R］個のANR送信がメッセージに対してなされた。
FLG応答は、下記の全ての条件が適用される場合に限り送出される：
利用者がいかなるメッセージに対しても回答を有している。これは、ページャに依存する機能であることに注意すべきである。
RACS［Type］パラメータが、利用者回答応答を許可する。
ICS［Type］パラメータが、一般の利用者回答準備完了応答を許可する。
RACS［Time］パラメータが、ICS［Time］パラメータより大きい。
メッセージは16日以内のものである。
多くて［R］個のFLG送信が、メッセージに対してなされた。
ANSn応答は、下記の全ての条件が適用される場合に限り送出される：
利用者がメッセージに対する回答を選択した。これは、ページャに依存する機能であることに注意すべきである。
RACS［Type］パラメータが、利用者回答応答を許可する。
ICS［Type］パラメータが、利用者回答応答を許可する。
RACS［Time］パラメータが、ICS［Time］パラメータより大きい。
メッセージは16日以内のものである。
多くて［R］個のANSn送信が、メッセージに対してなされた。
ここで［R］は、DISP応答に対するものと同一である。
登録応答REGは、下記の条件が適用される場合に限り送出することができる：
REG命令の送出の必要性が存在する。（これはアプリケーションに依存するものである。）
ICS［Type］パラメータが、非請求応答（ビット５はクリアされる）を示す。
ICS［Type］パラメータ内に定義されるURNは、18（＜52hh＞）以下である。
登録のためにページャによって使用されるアンサバック符号は、図８及び９の説明に関連して記述されたデフォルト符号であるべきであり、または恒久的符号は表１の命令により変更される。この符号は下記のように更に変更される：
URNは、シーケンス・ジェネレータ（図８）のｂ及びｃシフト・レジスタ118及び116のそれぞれに適用されねばならないマスクを定義する。このマスクは、シフト・レジスタ中の数値によりANDされるべきで、その結果はシフト・レジスタ118及び116に記憶される。
0003933707.tif 000005
ページャにより使用されるフェーズは、変更されないままである。URNがゼロであれば、シーケンスも又修正されずに留まることに注意すべきである。
URNの使用は、反覆して登録を希望しているページャを、オペレータに識別できるようにする。これは、基地局が数千のアンサバック符号を探さねばならないことを防ぐ。
両方向メッセージングは個人呼に限られない。一群のページャへの両方向呼に対して、２種類の方法が利用できる：
１）デフォルト又は恒久的符号の使用
２）一時的符号の使用
デフォルト又は恒久的符号を使用するグループ呼は、グループ両方向メッセージを送出する最も簡単なメカニズムである。下記が適用される：
グループ呼は、他のページャによって共用される共通RIC上に受信される。
一時的符号は、メッセージ中に定義されない。
ページャは、個人呼と同様にグループ両方向呼に応答する。
ページャはグループRISと個人RISの間の差異を知る必要はなく、各ページャはその固有符号に応答する。
この技術には２個の制限があることに注意が必要である：
i）唯１個のそのような両方向呼を同時に送出できる。
ii）回答のために利用できる符号の数には制限がある。
一時的符号を使用のグループ呼は、グループ呼を送出するためには一層複雑なメカニズムであるが、デフォルト又は恒久的符号を使用の時はその制限を克服する。下記が適用される：
各ページャはイネーブルされたグループ呼IDを持つ共通のRICを有さねばならず、各ページャは固有のサブアドレス［2］を持たねばならない。グループ呼は、少なくとも１個のワイルドカード文字が使用されている呼として定義される。
全てのグループ呼は、RACSの［Code］パラメータを使用する、又はTSACS及びTPACS命令を使用することによって、一時的シーケンス及びフェーズを含まねばならない。
ページャにより使用されるフェーズは、下記でなければならない：
（［Phase Step］×［CN］×［sub-address+Phase］）MOD212
このページャで使用されるシーケンスは、下記でなければならない：
（［init b］［init c］＋（［Phase Step］×［CN］
×［sub-address+Phase］）DIV212）MOD218
ここで［Phase Step］は前述したものであり、［init b］［init c］及び［Phase］は、RACSの［Code］パラメータ中に、又はTSACS及びTPACS中に定義されているものである。［CN］は、メッセージに対する可能な応答の数を定め、下記により計算される：
RAKS［Type］パラメータがACKsを許可するならば、
ｒack＝１，さもなければｒack＝０
RAKS［Type］パラメータがDIPSを許可するならば、
ｒdisp＝１，さもなければｒdisp＝０
RAKS［Type］パラメータがANRsを許可するならば、
ｒanr＝１，さもなければｒanr＝０
ｒanr＝１；準備された辞書が使用されれば、
ｒans＝256，さもなければｒans＝１＋可能な回答の数
ｒanr＝０；ｒans＝０，ならば
ＣN＝ｒack＋ｒdisp＋ｒanr＋ｒans
受信機サイトがCDMA送信に関連する遠近問題から悪影響を受けそうであれば、特に段階的除去が適用できる。多数の受信機サイトを有する分散ページング・システムにおいて、この問題が重大ではないと考えられるならば、この方法は、オプショナルである。
段階的除去が使用されるべきでないならば、ICS［Slot］パラメータは常にゼロであるべきである。
段階的除去は、下記のように実施される：
数個のICSがシリーズとして送出される。
全てのページャは、第１のICSに応答する。
次いで第２のICSが［REC］パラメータを含んで送信される。これは、ページャにその応答が受信されたか否かを通知する。
応答が受信されなかったページャのみが、第２番目のICSに応答して再送信を行う。
第３及びそれに続くICSが、それぞれ［REC］パラメータを含んで送信できる。
典型的に、［Length］パラメータは最初のICSに対しては低い値に設定され、シリーズの続くICSにおいて増大される。
アンサバック・シリーズの最後においても、ページャ・システムによって応答が未だ検出されていないページャが幾つか存在するかも知れない。そのような場合には、ページャ・システムは最初のメッセージを再送信することができる。オペレータは、メッセージを送信すべき最大回数を規定することができる。
ページャが種々のシリーズ間で混乱させられることを防止するために、ICS中の［RefICS］及び［Slot］パラメータは下記のように使用される：
［RefICS］パラメータは、各シリーズに対して同一であり、次のシリーズで１増大される。［RefICS］は＜7Fh＞に達すれば、＜20h＞にリセットされる。
シリーズの第１のICSに対するSlotパラメータは０であり、このシリーズの各ICSに対して１増大される。Slotパラメータは、［RefICS］パラメータが増大するときのみ、０にリセットする。
［REC］パラメータは、［Slot］が０でない時にのみ、存在する。
0003933707.tif 000006
以下、同様。
ICS［REC］パラメータは、RACS［ARB］パラメータと共に使用され、段階的除去を実施するために使用される。
これは、段階的除去シリーズの前のICSにおいて送信したページャにより使用されて、自己の送信が受信されたかを決定する。それは応答が受信されたページャを識別する可変数のビットを含み、その中の１ビットが１個のページャを識別する。
ページャは何れのビットに関係しているかを下記のように決定する：
単一ページャへの呼に対しては、ビット番号は、ゼロから計数するRACS中の［ARB］パラメータから一義的に定められる。（例えば、［ARB］が５であれば、これは６番目のビットに対応する。）
一群のページャに対する呼に対しては、ビット番号は、一群中のページャ番号＋RACS中の［ARB］パラメータで定められるn1n2である。
下記の規則が適用される：
ビットが１にセットされると、ページャは応答を送信することを要求される。
ビットが０にセットされると、前の応答が受信され、再送信は要求されない。
ICS［Slot］パラメータが０（［REC］パラメータが存在しない）であれば、ページャは応答を送信することを要求される。
ICS［REC］パラメータは早期に終了でき、予想したより少ないビットを含むことができる。［REC］から切り捨てられたビットは推定値０を持つ。
［ARB］値は時間制限を持つことができる。これは、後の送信において他のページャのためにそれを再使用できるようにする。時間制限が設定されれば（RACS［TimeARB］パラメータが存在する）、段階的除去は規定された時間までのみ使用できる。
時間制限が規定されなければ、［ARB］値はメッセージへの応答のために全ての段階的除去シーケンスへ適用されることに注意すべきである。
次に、制御シーケンス及びページャ応答の使われ方についての説明する。
これら各種の使用方法の理解を容易にするためには、段階的除去は考慮されない。
図12は時系列図であり、ページング・システムPSが勧誘制御シーケンスICSを送信し、メッセージは個々のページャPGにより受信され、ページャがアクノレジメントACKを送信する。
ページング・システムは、ACKが受信されなければ、オペレータにより決定されたメッセージを繰り返す。
ページング・システムは、メッセージがいつ使用者に表示されるかを知らせることを欲する場合がある。このことは図12に示されている。ページャ使用者が直ぐにはメッセージを見ないような場合には、ACK及びDISP応答をページャによって行うことができる。他の場合には、DISP応答のみで十分である。
図13に示されるように、ICSを含むメッセージに応答して、ACKはにページャにより送出される。ページング・システムPSは、繰り返されなければならない″Request for DISP″メッセージを送出することにより、いつメッセージが使用者に表示されたかを知らされることを要求する。使用者が一度メッセージを読めば、ページャはDISPを送信する。
’Request for DISP’は、セットされたビット１及び５を［Type］パラメータが有する場合にICSが送出されることを意味することに注意すべきである。ICSは個人向け又はグループ向けメッセージ中に送出される。
メッセージが回答を要求する場合は、ANR,FLG,及びANSn応答がメッセージへの利用者回答を伝えるのに使用される。
これは、３つのストラテジー中の１つの使用を可能にする：
１）ANR応答を要求、次いでANSn応答を要求。
２）FLG応答を要求、次いでANSn応答を要求。
３）単にANSn応答を要求。
ページング網制御器PNCにおける処理を最小化するためには、メッセージに対する利用者回答は２個の応答で与えられる。最初の応答において、ページャは回答が用意されていることをPNCに示すANRを送出する。次いで、PNCは他のICSを回答を要求するページャに送信する。これに応答して、ページャはメッセージに対する利用者回答を送信する。
次いで、PNCはそのメッセージに対する全ての可能な回答を検索しなければならない。
ページング・システムPSとページャPGとの間の信号シーケンスを図13に示す。
ページング・システムはRACS及びICSを含むメッセージをページャに送信する。ページャはACKを送出して受信をアクノレジメントする。ページング・システムは、ANRを送信することにより回答を要求する。このANRは、利用者がメッセージを読み且つ回答を与える期間の後に繰り返される。ANRへの回答は送信され、その受信に応答してページング・システムは｀Request for ANSn’を送信し、これがページャにより応答される。
’Request for ANR’は、セットされたビット２及び５を［Type］パラメータが有する場合にICSが送出されることを意味することに注意すべきである。’Request for ANSn’は、セットされたビット４及び５を［Type］パラメータが有する場合にICSが送出されることを意味する。
ページャ網制御器PNCにおける処理を最小化する他の方法は、ページャが最初の応答を送出する時に、どのようなメッセージに対しても回答が得られることをページャ網制御器に指示するFLGを送出するように、ページャに要求することである。次いで、基地局はページャに他のICSを送信し回答を求める。これは図15に示されるが、ページング・システムが’Request for ANR’を送出しページャが″ANR″を送信する代わりに、ページング・システムが’Request for FLG’を送出しページャが’FLG’を送信する以外は、多くの点で図14に類似している。
基地局は次いで、全ての前のメッセージに対する全ての可能な回答を検索しなければならない。
’Request fot FLG’は、セットされたビット２及び５を［Type］パラメータが有する場合にICSが送出されることを意味することに注意すべきである。’Request for ANSn’は、セットされたビット４及び５を［Type］パラメータが有する場合にICSが送出されることを意味する。
ページャからの応答の数が少ないと、ページャ網制御器は、図14及び図15に示すようにICS中にANR又はFLG要求を送出しないで、直接に回答を要求できる。又は、ページング・システムは’Request for ANSn’を送出し、ページャはそれに対してANSnを送出して応答する。
’Request for ANSn’は、セットされたビット４及び５を［Type］パラメータが有する場合にICSが送出されることを意味することに注意すべきである。
基地局は次いで、全ての前のメッセージに対する全ての可能な回答を検索しなければならない。
登録は、ページャにページング・システムへの登録を可能にする。これに関しては２つの効果がある。第１は、ページャの位置をページング・システムへ通知することである。第２は、サービスが要求できるようにするためである。下記のサービスが一例である：
利用者は、フラグ・ビットをセットした登録呼でサービスを要求する。この要求は、非請求応答を要求するグローバルICSを発信するページング・システムへ応答して、送出される。
ページャへのメッセージは、利用可能なサービスを記述するEACSを含む。利用者は、応答（例えば、交通情報ニュース）を選択する。
ページャへの情報提供のメッセージ。
一連のフラグメントとして長いメッセージを送信するのに、自動要求（Automatic ReQuest）ARQプロトコルが適用できる。例えば、１個のACKが数個のフラグメントの受信をアクノレジメントするために使用できる。フラグメント化された両方向メッセージの送出規則は、下記の通りである：
ｉ．最後のフラグメント以外の全てのフラグメントは、一方向又は両方向メッセージとして送信することができる。
最後のフラグメントは、両方向メッセージでなければならない。
ii．両方向フラグメントのアクノレジメントは、両方向フラグメントまでの全てのフラグメントが成功裏に受信されていることを意味するものとして解釈されねばならない。
iii．最後の両方向フラグメント以外の全てのフラグメントは、ACK応答を使用するのみである。最後のフラグメントは、全体のメッセージに適用されるACK,DISP,ANR,FLG及びANSn応答を使用できる。
iv．回答を組み込んだフラグメント化されたメッセージに対し、回答の番号付け及び利用者が応答選択ができるようにすることは、全てのフラグメントが成功裏に受信され、且つメッセージが再構成された後のみに可能となる。
オペレータは、どのプロトコルが使用されているかをページャが知ることを要求することなく、いくつかのARQ方式を実施するのに、これらの規則を利用できる。下記のサブ・セクションは、どのようにして標準ARQ方式実施できるかを記述する。
全体のメッセージに対して１個のARQを要求する場合は、ページング・システムは最後のフラグメント以外の全てのフラグメントを一方向メッセージとして送信する。最後のフラグメントに対する成功のアクノレジメントは、他の全てのフラグメントも成功裏に受信されたことを意味する。
メッセージがアクノレジメントされなければ、全てのメッセージが再送信される必要がある。しかし、種々の送信のフラグメントから、ページャがメッセージを再編することが可能であるべきことに注意すべきである。これは非常に簡単ではあるが非能率な方法であり、その主目的は他の利用者へのシステム・メッセージ遅延を軽減することである。
他の方法は、各フラグメントが両方向メッセージとして送信されるストップ・アンド・ウエイト（stop and wait）と呼ばれる方法である。ページング・システムは、次のフラグメントを送出する前に成功のアクノレジメントを待つ。
更に他の方法では、前のフラグメントに対する成功のアクノレジメントを待つことなく、各フラグメントは両方向メッセージとして送出される。各フラグメントは異なるアンサーバック符号を必要とする。催促した後に、ページャが最新のフラグメントに対してアクノレジメントしなければ、システムはアクノレジメントされたフラグメントの後の全てのフラグメントを再送信しなければならない。
更に別の方法では、前のフラグメントの成功のアクノレジメントを待つことなく、各フラグメントは両方向メッセージとして送出される。各フラグメントは異なるアンサバック符号を必要とする。催促した後に、ページャが最新のフラグメントをアクノレジメントしなければ、システムはアクノレジメントされたフラグメントの後の１個のみのフラグメントを再送信するべきである。
これらの種々の方法の組み合わせをが使用できる。例えば、ストップ・アンド・ウエイトは、単一のARQと組み合わせろことができ、この場合、各Ｎ番目のフラグメントは両方向メッセージである。
この明細者を読むことにより、他の変形が当業者には明瞭であろう。そのような変形は、メッセージ送信システム又はその構成部品の設計、製造及び使用において既知であり、且つ既に説明した特徴のに代わりもしくは特徴に追加して使用できる他の特徴を含むことができる。
産業上の利用分野
本発明は、両方向送信システム、例えばアンサバック・ページングシステムに用いることができる。
【図面の簡単な説明】
図１は、メッセージ送信システムのブロック概略図である。
図２は、勧誘信号、CDWA応答及び応答の分析を示す線図である。
図３は、疑似ランダム・データ・シーケンス応答型システムのインタレース動作を示す線図である。
図4A及び図4Bは、アクノレジメントがダウンリンク上に送信される勧誘信号といかに組み合わされるかを示す図である。
図５は、PNC10のブロック図である。
図６は、動作シーケンスを示す流れ図である。
図７は、ページャのブロック概略図である。
図８及び図９は、疑似ランダム・データ・シーケンスを生成する手段の一例を示す図である。
図10は、シーケンス・タイミング規則の一例を示す図である。
図11は、チップ・タイミング・シーケンスの一例を示す図である。
図12は、ページング方式による勧誘制御シーケンスの送信及びページャによるアクノレジメントの送信を図示するタイミング図である。
図13は、ページャがメッセージを表示した確認を得るページング方式に関連するタイミング図である。
図14及び図15は、ページャ使用者から応答を得るページャ方式に関連するタイミング図である。
【図１】
0003933707.tif 000007
【図２】
0003933707.tif 000008
【図３】
0003933707.tif 000009
【図４Ａ】
0003933707.tif 000010
【図４Ｂ】
0003933707.tif 000011
【図５】
0003933707.tif 000012
【図６】
0003933707.tif 000013
【図７】
0003933707.tif 000014
【図８】
0003933707.tif 000015
【図９】
0003933707.tif 000016
【図１０】
0003933707.tif 000017
【図１１】
0003933707.tif 000018
【図１２】
0003933707.tif 000019
【図１３】
0003933707.tif 000020
【図１４】
0003933707.tif 000021
【図１５】
0003933707.tif 000022